(57)【要約】【課題】  給紙装置の誤操作による給紙性能低下および装填した紙の損傷を防止する。【解決手段】  装置の本体ベースの支持軸に回動可能に片持ち支持された給紙台カバーおよび積重された紙の装填を防止する防止部材を本体ベースに設ける。給紙台カバーが開方向の回動に伴って防止部材が本体ベースの収納部へ退避するような作動レバーを本体ベースに設ける。給紙台カバーが開位置状態において、給紙台カバーの上面と本体ベース載置面で給紙台が形成され、積重された紙を給紙台に装填可能となる。給紙台カバーが閉位置状態において、給紙台カバーが本体ベース載置面を覆うように配置され、かつ、前記防止部材が本体ベース載置面への紙装填を不可能にする位置へ付勢する弾性体を本体ベースに設ける。【選択図】  図１
2010018357.tif 000002
【特許請求の範囲】
【請求項１】
積重された紙を給紙するための給紙台と前記給紙台に開閉自在に係止された給紙台カバーを有し、
前記給紙台カバーが開位置の時、前記給紙台カバーの上面と前記給紙台で載置面が形成される給紙装置において、
前記給紙台カバーが閉位置の時、前記給紙台に記録紙を載置不可能とする防止部材を設けたことを特徴とする給紙装置。
【請求項２】
前記防止部材が本体ベースに設けられ、前記給紙台カバーが開方向の回動に伴って前記防止部材が前記本体ベースの収納部へ退避し、前記給紙台の載置面に紙の装填を可能にするリンク機構を前記本体ベースに設けると共に、
前記給紙台カバーが閉方向の回動に伴って前記防止部材が前記本体ベースの収納部より移動し載置面に突出することで、前記本体ベース載置面に紙の装填を不可能にする弾性体を前記本体ベースに設けていることを特徴とする請求項１に記載の給紙装置。
【請求項３】
請求項１又は請求項２に記載の給紙装置を備えることを特徴とする画像形成装置。
【発明の詳細な説明】
【技術分野】
【０００１】
本発明は、複写機、プリンタ、ファクシミリ等の画像形成装置に付設される給紙台において、特に画像形成装置本体の小型化、および設置スペースの省スペース化を図る給紙装置に関する。
【背景技術】
【０００２】
積重された紙を収納して給紙するための給紙台を有する給紙装置において、従来図４および図５に示す構成の装置がある。図５で示すように、回動可能に装置１の本体ベース２の支持軸３に片持ち支持される給紙台カバー４は装置１の側面を形成した閉位置状態である。給紙台カバー４の取っ手５を持って給紙台カバー４を開方向（反時計回り）に作動すると給紙台カバー４は支持軸３まわりに回動する。図４で示すように、給紙台カバー４が本体ベース２のストッパ部（不図示）に当接すると給紙台カバー４が開位置状態となり、給紙台カバー上面７と本体ベース載置面６とで給紙台８が形成される。従って、給紙台８に紙Ｐを装填することが可能となる。給紙台８に装填された紙Ｐは給紙部２０により最上層の紙より１枚毎に分離され所定部へと給紙される。
【０００３】
以上のように構成された給紙装置においては、給紙台カバー４を開くと給紙台が形成され（図４）、給紙台カバー４を閉じると給紙台カバーが給紙台の載置面を覆い、かつ、装置の側面を構成する（図５）。これにより、装置は最小限のスペースで給紙台を形成することができ、装置の設置面積の省スペース化が図れる。
【０００４】
上記の例として、下記特許文献１をあげることが出来る。
【特許文献１】特開2001-010194号公報
【発明の開示】
【発明が解決しようとする課題】
【０００５】
しかしながら、図５で示すように、給紙台カバー４が閉位置状態において、支持軸３の下側と本体ベース載置面６の装置外側（図の左側）に開口部３０が存在する場合があった。これは装置１を小型に構成するために装置外側下部３１を一段奥側に構成した時に顕著に発生してしまう。その場合、前記開口部３０より本体ベース載置面６に紙を無理やり挿入することができてしまう。
【０００６】
給紙台カバー４の閉位置状態で本体ベース載置面６に紙が装填された状態において給紙台カバー４を開方向に作動すると、紙は給紙台カバー４と本体ベース２で挟まれてしまい、給紙性能を損ねるのみならず紙表面を傷つけてしまうという問題点があった。
【０００７】
本発明の目的は、上述したような不都合に鑑み、給紙台カバーの閉位置状態において給紙カバーが給紙台を覆うだけでなく、給紙台カバー下部の開口部３０からの紙装填を防止する給紙装置を提供するものである。
【課題を解決するための手段】
【０００８】
上記課題を解決するために、
請求項１に記載の発明は、積重された紙を給紙するための給紙台と給紙部を有する給紙装置において以下の構成を有する。
【０００９】
給紙台カバーが装置不動側の本体ベースに回動可能に片持ち支持される。前記給紙台カバーが開位置状態において、前記給紙台カバーの上面と本体ベース載置面で給紙台の載置面が形成され、積重された紙が給紙台に装填可能となる。前記給紙台カバーが閉位置状態において、前記本体ベース載置面を覆うように配置され、かつ、積重された紙を前記本体ベース載置面に装填不可能にする防止部材を本体ベースに備えていることを特徴とする。
【００１０】
又、請求項２に記載の発明は、請求項１に記載の給紙装置において、前記給紙台カバーが開方向の回動に伴って前記防止部材が前記本体ベースの収納部へ退避し、前記給紙台の載置面に紙の装填を可能にするリンク機構を前記本体ベースに設けている。また、前記給紙台カバーが閉方向の回動に伴って前記防止部材が前記本体ベースの収納部より移動し載置面に突出することで、前記本体ベース載置面に紙の装填を不可能にする弾性体を前記本体ベースに設けていることを特徴とする。
【００１１】
更に、請求項３に記載の画像形成装置は、請求項１又は請求項２に記載の給紙装置を備えることを特徴とする。
【発明の効果】
【００１２】
以上の構成によれば、給紙台カバーを閉じた状態では紙の装填を防止することができ、誤操作による装置給紙性能の低下および装填した紙の損傷を防ぐことが図れる。
【発明を実施するための最良の形態】
【００１３】
次に、本発明の詳細を実施例の記述に従って説明する。
【実施例１】
【００１４】
以下、図面を参照して本発明の実施形態を具体的に説明する。まず、図１から図３により給紙装置の概略構造を説明する。装置本体１において本体ベース２の第１支持軸３に給紙台カバー４が回動自在に片持ち支持されている。図１で示すように、給紙台カバー４は閉位置の状態において、装置１の側面を形成しており装置を小型化することが可能となる。また、第１支持軸３の下側には開口部３０が形成されている。給紙台カバー４は開閉するための取っ手５が設けられている。取っ手５を操作することで、給紙台カバー４は図１で示す閉位置から図２および図３で示すに開位置の状態まで第１支持軸３を中心に回動可能となる。図２で示すように、給紙台カバー４が開位置の状態で本体ベース載置面６と給紙台カバー載置面７により給紙台８が形成され、図３で示すように、給紙台８の上に記録用の紙Ｐを所定枚数重ねて装填することができる。給紙台８に装填された紙Ｐは給紙部２０により最上層の紙より１枚毎に分離され矢印Ｂ方向へ給紙される。図１および図２で示すように、本体ベース載置面６には収納部９が設けられており、収納部９内には記録用紙の装填を防止する防止部材１０が本体ベース２の第２支持軸１１で回動自在に片持ち支持されている。また、図３で示すように、収納部９には作動バネ１２が防止部材１０の掛部１０ａと本体ベース２の掛部２ａを張架するように設けられている。さらに、図１および図２で示すように、矢印Ａ方向に動作可能な作動レバー１３が収納部９に設けられている。作動レバー１３の端部には作動軸１３ａが形成されており、防止部材１０の受部１０ｂで互いに回転可能に軸着している。
【００１５】
以上の構成により、図１で示すように、給紙台カバー４が閉位置にある場合には、防止部材１０は作動バネ１２の張力により第２支持軸１１を中心に時計回りに付勢される。防止部材１０は、突起部１０ｃが本体ベース２の当接部２ｂに当接するまで回動され収納部９から突出し本体ベース載置面６に立設した状態で保持される。開口部３０より本体ベース載置面６に紙を装填しようとしても、紙の先端が保持部材と干渉する。保持された状態の防止部材１０は突起部１０ａと本体ベース２の当接部２ｂが接触しているため、時計回りにさらに回転することはなく、紙をさらに押し込むことができない。従って、防止部材１０は開口部３０より本体ベース載置面６への紙の装填を防止することができる。
【００１６】
次に、取っ手５を持って給紙台カバー４を第１の支持軸を中心に反時計回りに回動させ、給紙台カバー４が開位置の状態にすると、図２で示すように、給紙台カバー４の端部４ａが作動レバー１３の先端部１３ｂと当接する。このため、作動レバー１３が給紙台カバー４の重量により矢印Ａ方向に押圧され、作動バネ１２の張力に打ち勝って、作動軸１３ａが防止部材１０を反時計回りに回動させる。もちろん、作動バネ１２の張力は給紙台カバーの重量による作動レバー１３への作動力よりも小さく設定しておく。これにより、図３で示すように、防止部材１０は本体ベース載置面６に立設した状態から収納部９に退避し、給紙台８に紙を装填することができる。
【００１７】
以上説明した本発明の給紙装置によれば、装置の小型化を実現しながら、給紙台カバーを閉じた状態では紙の装填を防止することができ、誤操作による装置給紙性能の低下および装填した紙表面を傷つけてしまうという不都合を解消できる。
【図面の簡単な説明】
【００１８】
【図１】本発明の給紙装置において、給紙台カバーが閉位置の状態で紙装填防止部材が給紙台の給紙面から突出した状態を示す正断面図。
【図２】本発明の給紙装置において、給紙台カバーが開位置の状態で紙装填防止部材が給紙台の収納部に退避した状態を示す正断面図。
【図３】本発明の給紙装置において、給紙台カバーが開位置の状態で給紙台に紙を装填した状態を示す正断面図。
【図４】従来の給紙装置において、給紙台カバーが開位置の状態で給紙台に紙が装填されている状態を示す正断面図。
【図５】従来の給紙装置において、給紙台カバーが閉位置の状態で給紙台が覆われている状態を示す正断面図。
【符号の説明】
【００１９】
１  装置
２  本体ベース
３  第１支持軸
４  給紙台カバー
５  取っ手
６  本体ベース載置面
７  給紙台カバー載置面
８  給紙台
９  収納部
１０  防止部材
１１  第２支持軸
１２  作動バネ
１３  作動レバー
２０  給紙部
３０  開口部
Ｐ  紙
【図１】
2010018357.tif 000003
【図２】
2010018357.tif 000004
【図３】
2010018357.tif 000005
【図４】
2010018357.tif 000006
【図５】
2010018357.tif 000007